(57)【要約】【課題】送信機に割り当てられたチャネルの設定間違いを確実に防止することが可能な医療用テレメータシステム、送信機および受信機を提供する。【解決手段】所定の送信周波数を用いて患者の生体情報を無線送信する送信部２８０と、送信周波数を示す送信周波数情報を通知する通知部２４０とを有する送信機１２０と、送信部２８０から無線送信された生体情報を受信する受信部３４０と、通知部２４０から送信周波数情報の通知を受ける被通知部３００とを有する受信機１４０とを備える。これにより、ユーザ（例えば、管理者）は、送信機１２０の表面を見ながら送信機１２０のチャネル（送信周波数）に関する入力を行わなくても、送信機１２０のチャネルが自動的に受信機１４０に通知される。したがって、受信機１４０は、ユーザの手作業を全く介さずに送信機１２０のチャネルを正しく設定することができる。【選択図】図１
2015163377.tif 000002
【特許請求の範囲】
【請求項１】
所定の送信周波数を用いて患者の生体情報を無線送信する送信部と、前記送信周波数を示す送信周波数情報を通知する通知部とを有する送信機と、
前記通知部から前記送信周波数情報の通知を受ける被通知部と、前記被通知部で受け取った前記送信周波数情報に基づいて受信周波数を設定して、前記送信部から無線送信された前記生体情報を受信復調する受信部と、を有する受信機と、
を備えたことを特徴とする医療用テレメータシステム。
【請求項２】
前記通知部と前記被通知部は、前記送信部と前記受信部とは異なる通信方式で、かつ、前記送信部と前記受信部との通信に先立って、前記送信周波数情報を送受する、
請求項１に記載の医療用テレメータシステム。
【請求項３】
前記通知部は、前記送信機の電源が投入された場合に限り、前記送信周波数情報を通知する、
ことを特徴とする請求項１または請求項２に記載の医療用テレメータシステム。
【請求項４】
前記通知部は、可視光線を用いて前記送信周波数情報を送信することによって通知し、
前記被通知部は、前記通知部から送信された前記送信周波数情報を受信することによって通知を受ける、
ことを特徴とする請求項１から請求項３のいずれか一項に記載の医療用テレメータシステム。
【請求項５】
前記通知部は、赤外線を用いて前記送信周波数情報を送信することによって通知する、
ことを特徴とする請求項１から請求項３のいずれか一項に記載の医療用テレメータシステム。
【請求項６】
前記通知部は、前記送信周波数情報を表示部に表示することによって通知し、
前記被通知部は、前記通知部により表示された前記送信周波数情報を読みとることによって通知を受ける、
ことを特徴とする請求項１から請求項３のいずれか一項に記載の医療用テレメータシステム。
【請求項７】
前記通知部は、電源が投入されたことを表示するための可視光発光ダイオードを用いて前記送信周波数情報を送信する、
請求項１から請求項４のいずれか一項に記載の医療用テレメータシステム。
【請求項８】
所定の送信周波数を用いて患者の生体情報を無線送信する送信部と、
前記送信周波数を示す送信周波数情報を通知する通知部と、
を備え、
前記通知部は、前記送信部とは異なる通信方式でかつ前記送信部の送信に先立って、前記送信周波数情報を送受する、
ことを特徴とする送信機。
【請求項９】
前記通知部は、電源が投入されたことを表示するための可視光発光ダイオードを用いて前記送信周波数情報を送信する、
請求項８に記載の送信機。
【請求項１０】
所定の送信周波数を用いて患者の生体情報を無線送信する送信部と、前記送信周波数を示す送信周波数情報を通知する通知部とを有する送信機からの信号を受信する受信機であって、
前記通知部から前記送信周波数情報の通知を受ける被通知部と、
前記被通知部で受け取った前記送信周波数情報に基づいて受信周波数を設定して、前記送信部から無線送信された前記生体情報を受信復調する受信部と、
を備えたことを特徴とする受信機。
【請求項１１】
前記通知部と前記被通知部は、前記送信部と前記受信部とは異なる通信方式でかつ前記送信部と前記受信部との通信に先立って、前記送信周波数情報を送受する、
請求項１０に記載の受信機。
【発明の詳細な説明】
【技術分野】
【０００１】
本発明は、医療用テレメータシステム、送信機および受信機に関し、例えば、患者の生体情報を送信機から受信機に無線送信する医療用テレメータシステムに用いて好適なものである。
【背景技術】
【０００２】
従来、病院のＩＣＵ（Ｉｎｔｅｎｓｉｖｅ  Ｃａｒｅ  Ｕｎｉｔ）、ＣＣＵ（Ｃｏｒｏｎａｒｙ  Ｃａｒｅ  Ｕｎｉｔ）等において、患者の生体監視に使用される医療用テレメータシステムが存在する（例えば、特許文献１を参照）。医療用テレメータシステムは、患者から検出された生体情報（例えば、心電図や心拍数、ＳｐＯ２（酸素飽和度）など）を無線送信する送信機と、送信機から無線送信された生体情報を受信する受信機とを含んで構成されている。
【０００３】
個々の送信機には専用のチャネル（送信周波数）が予め割り当てられている。多数の送信機を使用する病院の管理者は、各送信機に割り当てられたチャネルや、現在使用中のチャネル、病院内の各エリア（例えば病棟、フロア等）で使用可能なチャネル等を管理する。
【０００４】
送信機は、割り当てられたチャネルを用いて、患者から検出した生体情報の無線送信を行うことができる。受信機は、送信機から受信した無線信号のチャネルに基づいて、無線信号に重畳された生体情報がどの送信機から送信されたか（すなわち、どの患者に関連するものか）を判断することができる。そのために、管理者は患者の生体監視を開始する前に、送信機のチャネルをあらかじめ受信機に設定しておく必要がある。
【先行技術文献】
【特許文献】
【０００５】
【特許文献１】特開平０５−１６１６１１号公報
【発明の概要】
【発明が解決しようとする課題】
【０００６】
しかしながら、従来、管理者は、送信機のチャネルを受信機に設定する際、送信機の表面にラベル等により表示されたチャネル情報を参照した後、受信機側に設けられた操作キー（例えば、数字キー）を介して１つ１つ手入力によりチャネルを設定していた。つまり、送信機のチャネルを受信機に設定する作業が管理者の手作業に依存していたため、チャネルの設定に間違いが生じる場合があるという問題があった。この場合、受信機側における送信機の管理（すなわち、患者の管理）に支障が生じ、適正なシステム運用が困難となる。
【０００７】
本発明は、このような問題を解決するために成されたものであり、送信機に割り当てられたチャネルの設定間違いを確実に防止することが可能な医療用テレメータシステム、送信機および受信機を提供することを目的とする。
【課題を解決するための手段】
【０００８】
本発明に係る医療用テレメータシステムは、
所定の送信周波数を用いて患者の生体情報を無線送信する送信部と、前記送信周波数を示す送信周波数情報を通知する通知部とを有する送信機と、
前記通知部から前記送信周波数情報の通知を受ける被通知部と、前記被通知部で受け取った前記送信周波数情報に基づいて受信周波数を設定して、前記送信部から無線送信された前記生体情報を受信復調する受信部と、を有する受信機と、
を備えたことを特徴とする。
【０００９】
また、本発明に係る送信機は、
所定の送信周波数を用いて患者の生体情報を無線送信する送信部と、
前記送信周波数を示す送信周波数情報を通知する通知部と、
を備え、
前記通知部は、前記送信部とは異なる通信方式でかつ前記送信部の送信に先立って、前記送信周波数情報を送受する、ことを特徴とする。
【００１０】
また、本発明に係る受信機は、
所定の送信周波数を用いて患者の生体情報を無線送信する送信部と、前記送信周波数を示す送信周波数情報を通知する通知部とを有する送信機からの信号を受信する受信機であって、
前記通知部から前記送信周波数情報の通知を受ける被通知部と、
前記被通知部で受け取った前記送信周波数情報に基づいて受信周波数を設定して、前記送信部から無線送信された前記生体情報を受信復調する受信部と、
を備えたことを特徴とする。
【発明の効果】
【００１１】
本発明によれば、ユーザ（例えば、管理者）が送信機の表面を見ながら送信機のチャネル（送信周波数）に関する入力を行わなくても、送信機のチャネルが自動的に受信機に通知される。そのため、受信機は、ユーザの受信周波数入力の手作業を全く介さずに送信機のチャネルを正しく設定することができる。よって、送信機に割り当てられたチャネルの設定間違いを確実に防止することができる。
【図面の簡単な説明】
【００１２】
【図１】本実施の形態における通知システムの構成例を示すブロック図である。
【図２】本実施の形態における通知システムの動作例を示すフローチャートである。
【発明を実施するための形態】
【００１３】
以下、本発明の実施の形態を図面に基づいて詳細に説明する。図１は、本実施の形態における通知システム１００（本発明の「医療用テレメータシステム」に対応）の構成例を示すブロック図である。本実施の形態では、通知システム１００は、患者の生体監視に使用される医療用テレメータシステムである。
【００１４】
図１に示すように、通知システム１００は、患者から検出した生体情報（例えば、心電図や心拍数、ＳｐＯ２（酸素飽和度）など）を無線送信する送信機１２０と、送信機１２０から無線送信された生体情報を受信する受信機１４０とを備えて構成されている。
【００１５】
次に、送信機１２０の構成について説明する。図１に示すように、送信機１２０は、電源制御部２００、送信周波数情報記憶部２２０、通知部２４０、生体情報検出部２６０および送信部２８０を備えて構成されている。
【００１６】
電源制御部２００は、送信機１２０の電源を制御する。具体的には、電源制御部２００は、送信機１２０に設けられた電源スイッチ（図示せず）が押下されたか否かについて判定する。もし電源スイッチが押下されたと判定した場合、電源制御部２００は、送信機１２０内の各ブロック（送信周波数情報記憶部２２０、通知部２４０、生体情報検出部２６０および送信部２８０）にそれぞれ所要の電源電圧を供給するとともに、電源が投入された旨を通知部２４０に通知する。一方、電源スイッチが押下されていないと判定した場合、電源制御部２００は、電源スイッチが押下されるまで待機する。
【００１７】
送信機１２０には、電源が投入されたことを表示するための可視光発光ダイオードが設けられている。電源制御部２００は、電源スイッチが押下されたと判定した場合、可視光発光ダイオードを所定時間（例えば、１０秒程度）だけ点灯させる。
【００１８】
送信周波数情報記憶部２２０は、送信機１２０に予め割り当てられた専用の送信周波数（チャネル）を示す送信周波数情報を記憶する。
【００１９】
通知部２４０は、電源が投入された旨の通知を電源制御部２００から受けた場合、送信周波数情報記憶部２２０から送信周波数情報を取り出して受信機１４０に通知する。本実施の形態では、通知部２４０は、電源制御部２００により可視光発光ダイオードが点灯させられた場合、その可視光発光ダイオードにより発光された可視光線を用いて（可視光線信号に重畳させて）送信周波数情報を送信することによって当該送信周波数情報を通知する。
【００２０】
生体情報検出部２６０は、患者に接続されたセンサから当該患者の生体情報（例えば、心電図や心拍数、ＳｐＯ２（酸素飽和度）など）を検出する。そして、生体情報検出部２６０は、検出した生体情報を送信部２８０に出力する。
【００２１】
送信部２８０は、生体情報検出部２６０から生体情報が出力された場合、送信周波数情報記憶部２２０に記憶されている送信周波数情報により示される送信周波数を用いて（無線信号に重畳させて）、受信機１４０に対して当該生体情報を無線送信する。
【００２２】
次に、受信機１４０の構成について説明する。図１に示すように、受信機１４０は、被通知部３００、受信周波数記憶部３２０、受信部３４０および生体情報表示部３６０を備えて構成されている。
【００２３】
被通知部３００は、送信機１２０の通知部２４０から送信された送信周波数情報を受信することによって、当該送信周波数情報の通知を受ける。そして、被通知部３００は、通知を受けた送信周波数情報を受信周波数記憶部３２０に出力する。
【００２４】
受信周波数記憶部３２０は、被通知部３００から送信周波数情報が出力された場合、その送信周波数情報により示される送信周波数を、送信機１２０用の受信チャネル（受信周波数）として記憶し、且つ、受信部３４０に当該周波数を受信するよう指示する（設定する）。この設定により、受信機１４０は、送信機１２０から受信した無線信号の送信周波数に基づいて、無線信号に重畳された生体情報が送信機１２０から送信されたものであることを判断することができる。
【００２５】
受信部３４０は、送信機１２０の送信部２８０から送信された生体情報を受信して生体情報表示部３６０に表示させる。
【００２６】
次に、本実施の形態における通知システム１００の動作について説明する。図２は、本実施の形態における通知システム１００の動作例を示すフローチャートである。
【００２７】
まず、電源制御部２００は、送信機１２０に設けられた電源スイッチが押下されたか否かについて判定する（ステップＳ１００）。もし、電源スイッチが押下されていないと電源制御部２００にて判定した場合（ステップＳ１００にてＮＯ）、処理はステップＳ１００に遷移する。
【００２８】
一方、電源スイッチが押下されたと電源制御部２００にて判定した場合（ステップＳ１００にてＹＥＳ）、電源制御部２００は、送信機１２０内の各ブロック（送信周波数情報記憶部２２０、通知部２４０、生体情報検出部２６０および送信部２８０）にそれぞれ所要の電源電圧を供給するとともに、電源が投入された旨を通知部２４０に通知する。さらに、電源制御部２００は、電源が投入されたことを表示するための可視光発光ダイオードを所定時間（例えば、１０秒程度１分）だけ点灯させる。
【００２９】
次に、通知部２４０は、電源が投入された旨の通知を電源制御部２００から受け、電源制御部２００により点灯させられた可視光発光ダイオードにより発光された可視光線を用いて（可視光線信号に重畳させて）送信周波数情報を送信することによって、当該送信周波数情報を受信機１４０に通知する（ステップＳ１２０）。
【００３０】
次に、受信機１４０の被通知部３００は、送信機１２０の通知部２４０から送信された送信周波数情報を受信することによって当該送信周波数情報の通知を受ける（ステップＳ１４０）。そして、被通知部３００は、通知を受けた送信周波数情報を受信周波数記憶部３２０に出力する。
【００３１】
次に、受信周波数記憶部３２０は、被通知部３００から出力された送信周波数情報により示される送信周波数を、送信機１２０用の受信チャネル（受信周波数）として設定する（ステップＳ１６０）。
【００３２】
次に、生体情報検出部２６０は、患者に接続されたセンサから当該患者の生体情報（例えば、心電図や心拍数、ＳｐＯ２（酸素飽和度）など）を検出したか否かについて判定する（ステップＳ１８０）。もし、生体情報を検出していないと生体情報検出部２６０にて判定した場合（ステップＳ１８０にてＮＯ）、処理はステップＳ１８０に遷移する。
【００３３】
一方、生体情報を検出したと生体情報検出部２６０にて判定した場合（ステップＳ１８０にてＹＥＳ）、生体情報検出部２６０は、検出した生体情報を送信部２８０に出力する。次に、送信部２８０は、送信周波数情報記憶部２２０に記憶されている送信周波数情報により示される送信周波数を用いて（無線信号に重畳させて）、生体情報検出部２６０から出力された生体情報を受信機１４０に無線送信する（ステップＳ２００）。その後、送信機１２０における処理はステップＳ１８０に遷移する。
【００３４】
最後に、受信部３４０は、送信機１２０の送信部２８０から送信された生体情報を受信して生体情報表示部３６０に表示させる（ステップＳ２２０）。その後、受信機１４０における処理はステップＳ２２０に遷移する。
【００３５】
以上詳しく説明したように、本実施の形態の通知システム１００は、所定の送信周波数を用いて患者の生体情報を無線送信する送信部２８０と、送信周波数を示す送信周波数情報を通知する通知部２４０とを有する送信機１２０と、送信部２８０から無線送信された生体情報を受信する受信部３４０と、通知部２４０から送信周波数情報の通知を受ける被通知部３００とを有する受信機１４０とを備えるようにしている。
【００３６】
このように構成した本実施の形態によれば、ユーザ（例えば、管理者）が送信機１２０の表面を見ながら送信機１２０のチャネル（送信周波数）に関する入力を行わなくても、送信機１２０のチャネルが自動的に受信機１４０に通知される。そのため、受信機１４０は、ユーザの受信周波数入力の手作業を全く介さずに送信機１２０のチャネルを正しく設定することができる。よって、送信機１２０に割り当てられたチャネルの設定間違いを確実に防止することができる。
【００３７】
また、本実施の形態では、送信機１２０の電源が投入された直後の一定時間（例えば、１０秒程度）の場合に限り、送信周波数情報を受信機１４０に通知するようにしている。これにより、送信機１２０が電池で動作する場合、送信機１２０の電源が投入された後、送信周波数情報を通知するために可視光発光ダイオードが常時点灯することがなく、当該発光ダイオードの常時点灯による電池の消耗を抑えることができる。
【００３８】
また、本実施の形態では、可視光発光ダイオードにより発光された可視光線を用いて送信周波数情報を送信するようにしている。これによれば、送信機１２０に予め設けられている（電源が投入されたことを表示するための）可視光発光ダイオードをそのまま用いて送信周波数情報を送信することができ、新たな発光ダイオードを設けることが不要となる分、コストを抑えることができる。
【００３９】
以上に説明した実施の形態による送信機１２０および受信機１４０の機能は、ソフトウェアによって実現される。実際には、送信機１２０および受信機１４０がＣＰＵあるいはＭＰＵ、ＲＡＭ、ＲＯＭなどを備えて構成され、ＲＡＭやＲＯＭに記憶されたプログラムが動作することによって実現できる。なお、本実施の形態の機能を果たすように動作させるプログラムを例えばＣＤ−ＲＯＭまたはＳＤメモリカードのような記録媒体に記録し、送信機１２０および受信機１４０に読み込ませることによって実現することも可能である。
【００４０】
なお、上記実施の形態では、通知システム１００が、患者の生体監視に使用される医療用テレメータシステムである例について説明したが、本発明はこれに限らない。要は、通知システム１００は、患者の生体情報を送信機１２０から受信機１４０に無線送信するシステムであれば何でも良い。
【００４１】
また、上記実施の形態では、可視光線を用いて送信周波数情報を送信する例について説明したが、本発明はこれに限らない。例えば、可視光発光ダイオードの代わりに、送信機１２０に設けられた赤外発光ダイオードにより発光された赤外線を用いて送信周波数情報を送信するようにしても良い。この場合、電源が投入されたことを表示するための可視光発光ダイオードを送信機１２０に別途設けても良い。つまり、電源が投入されたことを表示するために可視光発光ダイオードを用いる一方、送信周波数情報を送信するために赤外発光ダイオードを用いても良い。
【００４２】
また、上記実施の形態では、可視光線を用いて送信周波数情報を送信することによって当該送信周波数情報を通知する例について説明したが、本発明はこれに限定されない。例えば、通知部２４０は、送信機１２０に設けられた表示部（図示せず）に送信周波数情報を表示することによって通知しても良い。この場合、被通知部３００は、通知部２４０により表示された送信周波数情報を読みとる（例えば、画像認識を行う）ことによって通知を受ける。なお、送信周波数情報の表示形式については、例えばバーコード表示や数値表示等を採用しても良い。
【００４３】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００４４】
１００  通知システム
１２０  送信機
１４０  受信機
２００  電源制御部
２２０  送信周波数情報記憶部
２４０  通知部
２６０  生体情報検出部
２８０  送信部
３００  被通知部
３２０  受信周波数記憶部
３４０  受信部
３６０  生体情報表示部
【図１】
2015163377.tif 000003
【図２】
2015163377.tif 000004